(57)【要約】【目的】  レーザーラインの投射機構を内装した巻尺を提供することを目的とする。【構成】  巻尺のケース１１内に、少なくとも投射側の面が断面凸弧状のレンズを複数並設してなる並レンズ体１を設けた揺動自在に支持する振子体２と、任意のレーザー光６を発射可能なレーザー発振器１７を設けて、レーザー光６を直接的または間接的に並レンズ体１に案内し且つ並レンズ体１によってレーザー光６を垂直または水平のレーザーラインに変え、ケース１１の開口から外部に投射させる。【選択図】  図１
2006133066.tif 000002
【特許請求の範囲】
【請求項１】
ケース内に、少なくとも投射側の面が断面凸弧状のレンズを複数並設してなる並レンズ体を設けた揺動自在に支持される振子体と、任意のレーザー光を発射可能なレーザー発振器が設けられ、レーザー光が直接的または間接的に並レンズ体に案内され且つ並レンズ体を通過してケースの外部に投射できるようになっていることを特徴とする巻尺
【請求項２】
前記並レンズ体は振子体の支持部付近に設けられていることを特徴とする請求項１の巻尺
【請求項３】
ケース内に、振子体の振れ幅の範囲内でレーザー光を受光できる少なくとも投射側の面が断面凸弧状のレンズ体を設けた揺動自在に支持される振子体と、任意のレーザー光を発射可能なレーザー発振器が設けられ、レーザー光が直接的または間接的にレンズ体に案内され且つレンズ体を通過してケースの外部に投射できるようになっていることを特徴とする巻尺
【請求項４】
前記レンズ体はレーザー発振器から発射されたレーザー光の径より極めて大きな径を有するものであることを特徴とする請求項３の巻尺
【請求項５】
前記レンズ体が複数並設されていることを特徴とする請求項３の巻尺
【請求項６】
前記レンズ体は振子体の支持部付近に設けられていることを特徴とする請求項３の巻尺
【請求項７】
前記振子体は少なくともレンズを含め一体的に形成されていることを特徴とする請求項１または請求項３の巻尺
【請求項８】
前記振子体の本体が環状または縦長状になっていることを特徴とする請求項１または請求項３の巻尺
【請求項９】
前記振子体の下方が肉厚となっていることを特徴とする請求項１または請求項３の巻尺
【請求項１０】
前記振子体はケース内に設けられており、また、振子体のレンズに対向するケースにレーザー光が通過できる開口が設けられていることを特徴とする請求項１または請求項３の巻尺
【請求項１１】
前記振子体は少なくともレンズをケースに形成された開口内に位置させて設けられていることを特徴とする請求項１または請求項３の巻尺
【請求項１２】
前記振子体は水平方向のレーザーラインを投射するレンズを備える第１の振子体と垂直方向のレーザーラインを投射するレンズを備える第２の振子体の少なくとも２つの振子体から構成され、第１の振子体および第２の振子体のレンズが前記並レンズ体であることを特徴とする請求項１の巻尺
【請求項１３】
前記振子体は水平方向のレーザーラインを投射するレンズを備える第１の振子体と垂直方向のレーザーラインを投射するレンズを備える第２の振子体の少なくとも２つの振子体から構成され、第１の振子体および第２の振子体のレンズが前記レンズ体であることを特徴とする請求項３の巻尺
【請求項１４】
前記第１の振子体と第２の振子体は個々に支持されていることを特徴とする請求項１２または請求項１３の巻尺
【請求項１５】
前記第１の振子体と第２の振子体は一体的に支持されていることを特徴とする請求項１２または請求項１３の巻尺
【請求項１６】
前記第１の振子体および／または第２の振子体が水平方向への移動ができるようになっていることを特徴とする請求項１２または請求項１３の巻尺
【請求項１７】
前記第１の振子体と第２の振子体はレンズを対向させ、且つ少なくとも双方のレンズの間に任意の広さの空間が設けられていることを特徴とする請求項１２または請求項１３の巻尺
【請求項１８】
前記振子体に水平方向のレーザーラインを投射する第１のレンズと垂直方向のレーザーラインを投射する第２のレンズの少なくとも２つのレンズが設けられ、第１のレンズおよび第２のレンズが前記並レンズ体であることを特徴とする請求項１の巻尺
【請求項１９】
前記振子体に水平方向のレーザーラインを投射する第１のレンズと垂直方向のレーザーラインを投射する第２のレンズの少なくとも２つのレンズが設けられ、第１のレンズおよび第２のレンズが前記レンズ体であることを特徴とする請求項３の巻尺
【請求項２０】
前記第１のレンズおよび第２のレンズと共に、振子体に任意の径の通孔が形成されていることを特徴とする請求項１８または請求項１９の巻尺
【請求項２１】
ケース内に、所定のレンズを設けた揺動自在に支持される振子体と、任意のレーザー光を発射可能なレーザー発振器が設けられ、レーザー光が直接的または間接的にレンズに案内され且つレンズを通過してケースの外部に投射できるようになっており、水平方向のレーザーラインを投射するレンズに少なくとも投射側の面が断面凸弧状のレンズを複数並設した並レンズ体を用い、垂直方向のレーザーラインを投射するレンズにレーザー発振器から発射されたレーザー光の径より極めて大きな径を有する少なくとも投射側の面が断面凸弧状のレンズ体を用いたことを特徴とする巻尺
【請求項２２】
巻尺に、ケースの任意の部位の傾きを表示する傾斜表示手段が設けられていることを特徴とする請求項１または請求項３または請求項２１の巻尺
【請求項２３】
巻尺に、ケースの任意の部位の水平を表示する水平表示手段が設けられていることを特徴とする請求項１または請求項３または請求項２１の巻尺
【請求項２４】
巻尺に、テープおよび／または任意の方向を照らす照明手段が設けられていることを特徴とする請求項１または請求項３または請求項２１の巻尺
【請求項２５】
ケースの任意の部位に固定または着脱自在のマグネットが設けられていることを特徴とする請求項１または請求項３または請求項２１の巻尺
【請求項２６】
少なくともレーザー発振器が巻尺本体と着脱自在になっていることを特徴とする請求項１または請求項３または請求項２１の巻尺
【請求項２７】
ケースの任意の部位にポイント照射されるレーザー光が通過できる開口が形成されていることを特徴とする請求項１または請求項３または請求項２１の巻尺
【発明の詳細な説明】
【技術分野】
【０００１】
本発明は、レーザー墨出し機能を有する巻尺に関するものである。
【背景技術】
【０００２】
従来、巻尺にレーザー墨出し装置が有するレーザー墨出し機能、すなわち、レーザーラインが常に水平方向および／または垂直方向に投影されるジャイロ機能を備えたものはなく、巻尺は巻尺として、また、レーザー墨出し装置はレーザー墨出し装置としてそれぞれが単独で使用されている。巻尺は、測定用のテープを自動的に巻き取る自動巻取式のものが広く用いられており、その構成は、巻胴部にテープを巻回すると共にそのテープを巻取る付勢手段となるコイルバネが内装された回転ドラムと、その回転ドラムを収納するケースとから成っている。
【０００３】
また、レーザー墨出し装置は、レーザー光を発射するレーザー発振器と、レーザー光を放射状に拡散させて一筋のレーザーラインを作り出するための円柱レンズと、投影されたレーザーラインを水平方向または垂直方向に自動調整するためのジャイロ機能を備える前記レーザー発振器と円柱レンズが配設される振子体と、それらを収納するケースとから構成されている。そして、レーザー発振器の電源は振子体に配設されるのではなくケース内の任意の部位に設けられている。
【発明の開示】
【発明が解決しようとする課題】
【０００４】
本発明は、現場においてよく使用される巻尺とレーザー墨出し装置を一つの装置として成立させようとするもので、特に、巻尺にレーザー墨出し装置が有するレーザーラインによる墨出し機能を付加させようとするものである。しかして、単に巻尺とレーザー墨出し装置を合体させる場合、その大きさは極めて大きな器具となってしまい到底普通に使用することはできないのである。そこで、本出願人は、小型軽量化が今だされていないレーザー墨出し装置の振子体を小型軽量にすることによって巻尺内に配設できるようにしようとするものである。
【０００５】
振子体の小型軽量化が今だされてないのは、振子体には水平および垂直方向の自動調整機能すなわちジャイロ機能が備えられているので、その振子体に設けている円柱レンズにレーザー光を常に当てるためにはレーザー発振器を振子体に設けて、レーザー光の方向が円柱レンズから外れないようにしなければならなかったからである。そして、レーザー発振器と円柱レンズが設けられる振子体は強度的にも頑丈に作られるために重量も重く、また、大型となっているのである。
【０００６】
従って、本発明は上述した問題点に鑑みてなされたもので、本出願人は、先ず振子体の小型化と軽量化を可能にするため、振子体からレーザー発振器を撤去し且つ別の部位に固定的に配設させ、且つその配設形態においても水平および／または垂直方向のレーザーラインを投射することができるようにすると共に、この形態からなるレーザーラインの投射機構を内装した巻尺を提供することを目的とするものである。
【課題を解決するための手段】
【０００７】
本発明の要旨とするところは、ケース内に、少なくとも投射側の面が断面凸弧状のレンズを複数並設してなる並レンズ体を設けた揺動自在に支持される振子体と、任意のレーザー光を発射可能なレーザー発振器が設けられ、レーザー光が直接的または間接的に並レンズ体に案内され且つ並レンズ体を通過してケースの外部に投射できるようになっていることを特徴とする巻尺である。
【０００８】
本発明の巻尺を詳しく説明すると、ケースとは、測定用のテープを収容する部材であり巻尺の本体でもある。ケースは、所望の形状に適宜形成された樹脂または金属等の素材から形成されており、そのケースの内側壁には軸が立設され、その軸にメモリが印刷された測定用のテープを周囲に巻回した回転ドラムが軸支されている。また、回転ドラムが回転可能であれば軸支に限定されることなく、任意の方法や形態によって支持してもよい。
そして、回転ドラムの内部にはテープを巻き取るためのコイル状の巻き取りバネが設けられており、テープは巻き取り方向に付勢される。
【０００９】
そのテープは、普通ケースの前壁下方に設けられているテープ出入口から出入りしており、また、テープの巻き取り終了の際にはテープ先端に有する係止片がテープ出入口に係止されることによって、テープのケース内への引き込まれが阻止されている。そして、係止片は相当な速度でテープ出入口に衝突するため、そのテープ出入口に係止片の衝突エネルギーを緩和（吸収作用も含む）する衝撃緩衝装置が設けられている巻尺もある。
【００１０】
このような巻尺のケース内に、少なくとも投射側の面が断面凸弧状のレンズを複数並設してなる並レンズ体を設けた揺動自在に支持される振子体と、任意のレーザー光を発射可能なレーザー発振器を設けて、巻尺が有する寸法測定機能と共に、必要に応じてレーザー墨出し装置が有するレーザー墨出し機能を使用できるようにしたものである。すなわち、レーザー発振器から発射されたレーザー光が直接的または間接的に並レンズ体に案内され且つ並レンズ体を通過してケースの外部に投射できるようになっているレーザー墨出し機能を有する巻尺である。
そして、投射側の面とは、レーザー発振器から発射されたレーザー光を受けた並レンズ体のレーザー光が出る側の面である。
また、投影されるレーザーラインは、レンズ体の取付方向によって水平または垂直のラインとして投影される。
【００１１】
その並レンズ体は、少なくとも投射側の面が断面凸弧状のレンズ体をその周面方向に複数並設させた形態とするのがよく、その並レンズ体の形成は一体成型によって形成するのが望ましい。あるいは、その断面凸弧状のレンズ体をその周面方向に複数並べて並レンズ体を形成してもよい。この場合、レンズの並設部の隣接形態としては、隣接するレンズの周面をほぼ密着させた状態に並設させたり、または、一方のレンズの隣接部の周面を隣接するレンズの周面の一部と嵌合可能に湾曲形成して並設させたり、さらには、双方のレンズの隣接させる部位の周面を平面状に切断しその切断面を接合させて並設させてもよい。
断面凸弧状のレンズ体は普通柱状であり、その柱状とは、断面の長さより軸方向の長さが長いものを表すが、断面の長さが軸方向の長さより長いものを含み、その断面は、円形／略半円形／楕円形等を含み、また、その投射側の面がレーザー光を放射状に拡散可能な曲線または曲線と直線が組み合わされたものも含む。
また、並レンズ体の一つのレンズ径と照射されるレーザー光の径との関係は、並レンズ体の少なくとも隣合う２つのレンズにレーザー光が当たるようにするのがよい。しかして、投影部に一筋のレーザーラインが投影できればこの関係に限定するものではなく、レンズ径とレーザー光の径を任意に設定すればよい。
【００１２】
そして、並レンズ体は振子体に設けられるが、望ましくは、振子体を成型する際に並レンズ体も同時に成型するのがよい。すなわち、成型後にレンズとして用いることができる任意の素材を用いて振子体と並レンズ体を一体成型する。または、振子体を任意の素材によって成型する際、既に成型または形成されている並レンズ体を成型される振子体の並レンズ体配設部位に設置し、振子体と並レンズ体を一体化させるようにしてもよい。これらの方法によって振子体と並レンズ体を一体的にすればよいが、勿論、他の方法によって一体的に形成してもよい。
その並レンズ体が振子体に設ける部位は、振子体の揺動形態あるいは振子体の支持形態を考慮して任意の部位に設ければよいが、望ましくは、振子体の支持部に近接する部位に設けるのがよい。
【００１３】
その振子体は、任意の方法によって揺動自在に支持されるもので、この揺動自在とは、全方向に揺動できるようにしたものであっても、また、所定の方向にだけ揺動できるようにしたものでもよい。
すなわち、揺動を全方向できるようにするものは、墨出しを行う際に巻尺を置く面が所定の範囲内でどのように傾いている面であっても、全方向に有効なジャイロ機構部によって巻尺を置くことでレーザーラインが水平およひ／または垂直に投影されるものである。また、揺動を所定の方向、例えば、レーザーラインの投影方向と直角の方向にだけ揺動するものは、レーザーラインの投影方向の傾きを調節しながら巻尺を置くことでレーザーラインが水平およひ／または垂直に投影されるものである。この調節とは、振子体がレーザーラインの投影方向と直角の方向に引っ掛りなく自由に揺動できるようにするため、巻尺のケースの任意の部位に設けた水準器等の表示に従って巻尺を置くことである。
振子体にジャイロ作用が発生できるようにするには、例えば、振子体の下方部を重くしてもよく、その方法としては錘を装着したりまた下方部を肉厚としてもよい。勿論、他の方法によって行ってもよい。
【００１４】
その振子体の形状も特に限定するものではないが、例えば、本体形状を環状または縦長状にしてもよく、さらには、やじろべえ状の形態としその本体中央部の上方または下方に本体支持部と並レンズ体を設けてもよい。環状とは、リング／三角等を始めとしてあらゆる形状を含むものである。縦長状とは、任意の支持手段によって支持されている振子体の並レンズ体を正面にして見た形状であり、長方形／楕円形／二等辺三角形等を始めとしてあらゆる縦長の形状を含むものである。勿論、他の形状としてもよい。
そして、振子体の本体形状を決めるには、振子体を内装させる巻尺の形状や形態等によって決定すればよい。
【００１５】
振子体は、1つ振子体あるいは任意の数の振子体から構成してもよい。1つの振子体によって構成する場合は、振子体に水平方向のレーザーラインを投射する第１の並レンズ体と垂直方向のレーザーラインを投射する第２の並レンズ体の少なくとも２つの並レンズ体を設ければよい。振子体は任意の手段によって支持すればよい。また、本構成の時、レーザー発振器から発射されたレーザー光を、振子体の第１のレンズと第２の並レンズ体に案内するには、例えば、振子体背部の第１の並レンズ体と第２の並レンズ体に対応する空間に、任意のミラーとハーフミラーを設けて、レーザー発振器から発射されたレーザー光を第１の並レンズ体と第２の並レンズ体に振分けるようにしてもよい。
【００１６】
さらには、振子体に第１の並レンズ体および第２の並レンズ体と共に、任意の径の通孔を形成してもよい。すなわち、レーザーラインの投射とレーザー光をポイント照射できるようにしてもよい。
この本構成の時は、1つのミラーと２つのハーフミラーによってレーザー発振器から発射されたレーザー光を、振子体の第１の並レンズ体と第２の並レンズ体さらに通孔に案内する。また、振子体とミラーおよびハーフミラーの間隙にシャッター部材を設けて、レーザー発振器から発射されたレーザー光を第１の並レンズ体／第２の並レンズ体／通孔の所望の照射部位を選定できるようにしてもよい。
【００１７】
そして、振子体を複数の数から構成する場合は、例えば、２つの振子体によって構成する時、振子体は水平方向のレーザーラインを投射する並レンズ体を備える第１の振子体と垂直方向のレーザーラインを投射する並レンズ体を備える第２の振子体の少なくとも２つの振子体から構成してもよい。
この構成の場合、第１の振子体と第２の振子体を個々に支持したり、あるいは、第１の振子体と第２の振子体を一体的に支持してもよい。さらには、第１の振子体および／または第２の振子体を水平方向へ移動できるようにしてもよい。その移動は、振子体を内装させる巻尺の形状や形態を考慮して、直線的あるいは曲線的に移動させればよい。
【００１８】
本構成の時、レーザー発振器から発射されたレーザー光を、第１の振子体と第２の振子体の並レンズ体に案内するには、例えば、双方の振子体に備える並レンズ体を対向させて第１の振子体と第２の振子体を配設する共に、第１の振子体と第２の振子体の少なくとも並レンズ体の間に任意の広さの空間を設け、その空間に任意のミラーまたはミラーとハーフミラーを設けて、レーザー発振器から発射されたレーザー光を第１の振子体の並レンズ体と第２の振子体の並レンズ体に振分けるようにしてもよい。
また、シャッター部材を設けて、レーザー発振器から発射されたレーザー光を第１の振子体および／または第２の振子体の所望の振子体に照射できるようにしてもよい。さらには、ハーフミラーやシャッター部材によってレーザーラインの投射とレーザー光をポイント照射できるようにしてもよい。ポイント照射のレーザー光は、レーザーラインの投射方向にあるいはミラー等を介在させて所望の方向に照射できるようにしてもよい。
【００１９】
そして、巻尺の他の形態としては、ケース内に、振子体の振れ幅の範囲内でレーザー光を受光できる少なくとも投射側の面が断面凸弧状のレンズ体を設けた揺動自在に支持される振子体と、任意のレーザー光を発射可能なレーザー発振器が設けられ、レーザー光が直接的または間接的にレンズ体に案内され且つレンズ体を通過してケースの外部に投射できるようになっていることを特徴とする巻尺である。
【００２０】
この巻尺すなわち巻尺に内装する振子体のレンズを、振子体の振れ幅の範囲内でレーザー光を受光できる少なくとも投射側の面が断面凸弧状のレンズ体にする。すなわち、レンズは振子体の振れ幅の範囲内でレーザー光を受光できるものであり、通常はレーザー発振器から発射されたレーザー光の径より極めて大きな径を有する。レンズ体は基本的に１つ配設すればよいが、複数配設してもよい。
そして、レンズ体の投射側の面とは、レーザー発振器から発射されたレーザー光を受けたレンズ体のレーザー光が出る側の面である。
また、投影されるレーザーラインは、レンズ体の取付方向によって水平または垂直のラインとして投影される。
【００２１】
レーザー光の径より極めて大きな径とは、レーザー発振器から発射されるレーザー光の径と共に、ジャイロ作用によって揺動する振子体の揺動制限範囲も考慮して決定される径である。すなわち、振子体に設けられるレンズ体は、振子体の振れ幅の範囲内でレーザー光を受光できる径とするのがよい。また、振子体の揺動制限範囲を拡大する場合は、レンズ体をさらに大きくしなければならないが、適当な大きさのレンズ体を複数並設して対応してもよい。
そして、レンズ体の振子体への形成、振子体の形成、レンズ体の振子体上の形成位置、振子体の形状や形態等は、上述する投射面が断面凸弧状のレンズ体を複数並設した並レンズ体が設けられている振子体を内装する巻尺の説明に準ずるものである。
【００２２】
さらに、本発明に係る巻尺の他の形態としては、ケース内に、所定のレンズを設けた揺動自在に支持される振子体と、任意のレーザー光を発射可能なレーザー発振器が設けられ、レーザー光が直接的または間接的にレンズに案内され且つレンズを通過してケースの外部に投射できるようになっており、水平方向のレーザーラインを投射するレンズに少なくとも投射側の面が断面凸弧状のレンズを複数並設した並レンズ体を用い、垂直方向のレーザーラインを投射するレンズにレーザー発振器から発射されたレーザー光の径より極めて大きな径を有する少なくとも投射側の面が断面凸弧状のレンズ体を用いたことを特徴とする巻尺である。
すなわち、振子体のレンズを前記並レンズ体と前記レンズ体の２種のレンズを用いて構成することである。
【００２３】
そして、振子体とレーザー発振器のケース内への配設と共に、その振子体とレーザー発振器に関係する任意の部材等がケース内やケース面等に設けられる。具体的には、振子体を揺動自在に支持するための支持手段であり、例えば、振子体を軸によって支持するならばその支持軸等である。また、レーザー発振器を駆動させるための電源手段用であり、任意の１次電池あるいは２次電池である。さらには、レーザー発振器のオン／オフスイッチ、レーザー隅出し機能を使用しない持の振子体の固定手段、レーザーラインとレーザーポインタの切換スイッチ等が上げられる。さらにレーザー発振器は、その駆動電源やオン／オフスイッチ等を含めて巻尺本体と着脱自在にしてもよい。
【００２４】
振子体のケース内での配置部位は、巻尺の形態やレーザーラインの投射形態等によって任意の部位に配置すればよい。具体的に、本体形状が環状のものは、ケース内のテープを巻回する回転ドラムの側方すなわち回転ドラムの側壁とケースの側壁の間に且つ回転ドラムの支持手段である軸を振子体の本体開口内を通過させて設けてケースの側壁からレーザーラインが投射されるようにしてもよい。また、本体形状が縦長状のものは、ケース内の前壁や後壁そして側壁と回転ドラムの間に設けて、前記壁からレーザーラインが投射されるようにしてもよい。そして、レーザーラインが投射される壁の振子体のレンズに対向する部位にはレーザー光が通過できる開口が形成される。開口には任意の素材の窓やシャッター等を設けてもよい。
【００２５】
さらには、ケースの任意の部位に開口を形成し、その開口内に振子体の一部または全部を位置させて設けるようにしてもよい。例えば、振子体のレンズ部位を開口内に位置させるようにしてもよく、巻尺の形態やレーザーラインの投射形態等によって所望の配設とすればよい。
また、レーザーラインの投射共にレーザー光をポイント照射できるようにした際、ケースの任意の部位にポイント照射されるレーザー光が通過できる開口を形成してもよい。ポイント照射のレーザー光は任意のミラー等によってケースの投射部位まで案内してもよい。さらには、ポイント照射のレーザー光を含めレンズに案内するレーザー発振器から照射されたレーザー光を光ファイバーを用いて案内してもよい。
【００２６】
そして、巻尺に、ケースの任意の部位の傾きを表示する傾斜表示手段、ケースの任意の部位の水平を表示する水平表示手段、テープおよび／または任意の方向を照らす照明手段、ケースを金属部材に磁着させるためのマグネット等を設けてもよい。これらのものの形態や構造等は特に限定するものではなく、任意のものを選定して設ければよい。
【００２７】
従って、本発明の巻尺は以上のような構造になっているので、巻尺を略水平の場所に置き巻尺ケースに設けられているレーザー隅出し機能の駆動スイッチをオンにすることによってレーザー隅出し機能が使用可能になる。ケース内の振子体は、ジャイロ機能によって投影ラインが水平／垂直となるよう自動調節される。
そして、レーザー隅出し機能がオンするとレーザー発振器から発射されたレーザー光が直接的にまたは間接的に振子体のレンズに案内される。この案内されたレーザー光は、レンズによって投影点が点状のレーザー光が放射状に拡散されて投射され、投影部に一筋のレーザーラインが描かれる。
【００２８】
振子体のレンズが並レンズ体である場合は、レーザー発振器からレーザー光を発射させると、レーザー光は直接的にまたは間接的に振子体のレンズに案内される。この案内されたレーザー光は、ジャイロ機能によって振子体が任意の位置に変位しても、そのレーザー光は並レンズ体の任意のレンズの1つまたは複数のレンズに当たるので、このレンズによってレーザー光が放射状に拡散されて投射され、投影部に一筋のレーザーラインが描かれる。
【００２９】
また、振子体のレンズがレーザー光の径より極めて大きな径を有するレンズ体である場合は、レーザー発振器からレーザー光を発射させると、レーザー光は直接的にまたは間接的に振子体のレンズ体に案内される。この案内されたレーザー光は、ジャイロ機能によって振子体が任意の位置に変位しても、そのレーザー光はレンズ体に当たるので、このレンズ体によってレーザー光が放射状に拡散されて投射され、投影部に一筋のレーザーラインが描かれる。
【００３０】
さらには、レンズ体が複数となっているものは、レーザー光がレンズ体の1つまたは複数のレンズ体に当たるので、このレンズ体によってレーザー光が放射状に拡散されて投射され、投影部に一筋のレーザーラインが描かれる。
【発明の効果】
【００３１】
本発明の巻尺は以上のように、すなわち、振子体からレーザー発振器を別離できたことから、レーザー発振器と振子体をケース内の所望の位置に配設でき、従って、巻尺ケースも取り扱いに支障のない大きさとすることができる。
これにより、巻尺とレーザー墨出し装置の両方を持っての作業が巻尺を携帯するだけで行うことができる。また、レーザー墨出し装置の最大の欠点である取り扱いを極めて慎重に行わなければならないこともなく、巻尺の取り扱いとほぼ同じように取り扱うことができる。
【発明を実施するための最良の形態】
【００３２】
本発明の巻尺を以下図面に従って説明すると、図１は、本発明に係る巻尺の概略内部構造を示す斜視図であり、水平投射並レンズ体１ａを備える振子体２と垂直投射並レンズ体１ｂを備える振子体２が回転ドラム１２の両側に揺動自在に配置されている。振子体２の揺動は、振子体２に有する軸受３が任意の軸等に支持されることによって行われる。また、軸と軸受３の嵌着状態を任意に遊嵌することによって振子体２は３６０度のどの方向にも揺動できる。５は振子体２の重心を下方部に位置させるための錘である。本図では軸受３に嵌る軸等は省略している。そして、両側に配置された２つの振子体２の水平投射並レンズ体１ａおよび垂直投射並レンズ体１ｂには、レーザー発振器１７から発射されたレーザー光がハーフミラー８およびミラー７によって案内される。レーザー光は省略する。
１１は巻尺のケース、１２は回転可能に支持されている回転ドラム、１２ａはテープ１４を巻き込み方向に付勢するためのコイルバネ、１３は回転ドラム１２を支持する軸、１４はテープ、１４ａは係止片、１５はレーザー発振器１７のオン／オフのスイッチで、１６はレーザー発振器１７の駆動用の電源となる電池、１７はレーザー発振器である。本図では各機器への配線等は省略している。
【００３３】
図２は、シッターを示す斜視図であり、本形態のシャッター９を図１の巻尺の反射ミラー部（ミラー７／ハーフミラー８）に配設することによってレーザー発振器１７から発射されたレーザー光を、水平投射並レンズ体１ａまたは垂直投射並レンズ体１ｂまたは双方の投射並レンズ体に振り分けることができる。９はシャッター、９ｄおよび９ｅはレーザー光の遮蔽部である。
【００３４】
図３は、レーザー光の照射状態を示す斜視図であり、図２のシャッター９が図１の巻尺の反射ミラー部（ミラー７／ハーフミラー８）に配設された際のレーザー光６の照射状態を示す。（ａ）図は、シャッター９の遮蔽部９ｄ／９ｅが開放された状態で、ミラー７／ハーフミラー８によって変向されたレーザー光６が水平投射並レンズ体１ａおよび垂直投射並レンズ体１ｂに進行する。（ｂ）図は、シャッター９の遮蔽部９ｄが開放された状態で、ミラー７／ハーフミラー８によって変向されたレーザー光６が垂直投射並レンズ体１ｂに進行する。（ｃ）図は、シャッター９の遮蔽部９ｅが開放された状態で、ミラー７／ハーフミラー８によって変向されたレーザー光６が水平投射並レンズ体１ａに進行する。
【００３５】
図４は、図１のレーザー投射機構を内装する巻尺の一例を示す斜視図であり、  １１は巻尺のケース、１１ａはテープ１４が出入するテープ出入口、１４はテープ、１４ａは係止片、１５はレーザー発振器１７のオン／オフのスイッチ、１８はライン状に変換されたレーザー光が投射される投射窓である。本図は、図１の巻尺の反対側を見た図であり、従って、投射窓１８から投射される変換されたレーザー光は水平レーザーラインとなる。１９は図２／図３のシャッターのシャッター操作レバー、２１はケース１１を略水平状態にする際に用いる水準器、２５は引き出したテープ１４を任意の位置で停止させるためのブレーキレバーである。
【００３６】
図５は、他の形態の振子体を内装する巻尺の概略内部構造を示す斜視図であり、水平投射並レンズ体１ａを備える振子体２と垂直投射並レンズ体１ｂを備える振子体２が、回転ダイヤル２０に揺動自在に吊設されている。振子体２の揺動は、振子体２に有する軸受３が回転ダイヤル２０に直接的または間接的に接続される任意の軸等に支持されることによって行われる。また、軸と軸受３の嵌着状態を任意に遊嵌することによって振子体２は３６０度のどの方向にも揺動できる。そして、回転ダイヤル２０を回転させることにより、水平投射並レンズ体１ａを備える振子体２または垂直投射並レンズ体１ｂを備える振子体２をレーザー光の通過位置にセットできるようになっている。５は振子体２の重心を下方部に位置させるための錘である。本図では軸受３に嵌る軸等は省略している。
１１は巻尺のケース、１２は回転可能に支持されている回転ドラム、１２ａはテープ１４を巻き込み方向に付勢するためのコイルバネ、１３は回転ドラム１２を支持する軸、１４はテープ、１４ａは係止片、１５はレーザー発振器１７のオン／オフのスイッチで、１６はレーザー発振器１７の駆動用の電源となる電池、１７はレーザー発振器である。本図では各機器への配線等は省略している。
【００３７】
図６は、図５のレーザー投射機構を内装する巻尺の一例を示す斜視図であり、１１は巻尺のケース、１４はテープ、１４ａは係止片、１５はレーザー発振器１７のオン／オフのスイッチ、１８はライン状に変換されたレーザー光（水平レーザーライン／垂直レーザーライン）が投射される投射窓である。２０はレーザーラインの投射方向（水平／垂直）を選択するための回転ダイヤル、２１はケース１１を略水平状態にする際に用いる水準器、２５は引き出したテープ１４を任意の位置で停止させるためのブレーキレバーである。
【００３８】
図７は、他の形態の振子体を内装する巻尺の概略内部構造を示す斜視図であり、水平投射並レンズ体１ａと垂直投射並レンズ体１ｂを備える振子体２がケース１１の一側面側に揺動自在に配置されている。振子体２の揺動は、振子体２に有する軸受３が任意の軸等に支持されることによって行われる。また、軸と軸受３の嵌着状態を任意に遊嵌することによって振子体２は３６０度のどの方向にも揺動できる。５は振子体２の重心を下方部に位置させるための錘である。本図では軸受３に嵌る軸等は省略している。そして、振子体２の水平投射並レンズ体１ａおよび垂直投射並レンズ体１ｂには、レーザー発振器１７から発射されたレーザー光がハーフミラー８およびミラー７によって案内される。レーザー光は省略する。
１１は巻尺のケース、１１ａはテープ１４が出入するテープ出入口、１２は回転可能に支持されている回転ドラム、１２ａはテープ１４を巻き込み方向に付勢するためのコイルバネ、１３は回転ドラム１２を支持する軸、１４はテープ、１４ａは係止片、１５はレーザー発振器のオン／オフのスイッチで、１６はレーザー発振器１７の駆動用の電源となる電池、１７はレーザー発振器である。本図では各機器への配線等は省略している。
【００３９】
図８は、図７のレーザー投射機構を内装する巻尺の一例を示す斜視図であり、１１は巻尺のケース、１１ａはテープ１４が出入するテープ出入口、１４はテープ、１４ａは係止片、１５はレーザー発振器１７のオン／オフのスイッチ、１８はライン状に変換されたレーザー光（水平レーザーライン／垂直レーザーライン）が投射される投射窓である。２１はケース１１を略水平状態にする際に用いる水準器、２５は引き出したテープ１４を任意の位置で停止させるためのブレーキレバーである。
【００４０】
図９は、他の形態の振子体を内装する巻尺の概略内部構造を示す斜視図であり、水平投射並レンズ体１ａと垂直投射並レンズ体１ｂを備える振子体２がケース１１の後面側に揺動自在に配置されている。振子体２の揺動は、振子体２に有する軸受３が任意の軸等に支持されることによって行われる。また、軸と軸受３の嵌着状態を任意に遊嵌することによって振子体は３６０度のどの方向にも揺動できる。２ｂはポイント照射するためのレーザー光が通過する通孔、５は振子体２の重心を下方部に位置させるための錘である。本図では軸受３に嵌る軸等は省略している。そして、振子体２の水平投射並レンズ体１ａおよび垂直投射並レンズ体１ｂには、レーザー発振器１７から発射されたレーザー光がハーフミラー８およびハーフミラー８ａおよびミラー７によって案内される。レーザー光は省略する。
１１は巻尺のケース、１２は回転可能に支持されている回転ドラム、１２ａはテープ１４を巻き込み方向に付勢するためのコイルバネ、１３は回転ドラム１２を支持する軸、１４はテープ、１４ａは係止片、１５はレーザー発振器１７のオン／オフのスイッチで、１６はレーザー発振器１７の駆動用の電源となる電池、１７はレーザー発振器である。本図では各機器への配線等は省略している。
【００４１】
図１０は、図９のレーザー投射機構を内装する巻尺の一例を示す斜視図であり、１１は巻尺のケース、１４はテープ、１４ａは係止片、１５はレーザー発振器１７のオン／オフのスイッチ、１８ａはライン状に変換された水平レーザーライン、１８ｂはライン状に変換された垂直レーザーライン、１８ｃは変換しないレーザー光（ポイント照射）がそれぞれ投射される投射窓である。２１はケース１１を略水平状態にする際に用いる水準器、２５は引き出したテープを任意の位置で停止させるためのブレーキレバーである。
【００４２】
図１１は、他の形態の巻尺を示す斜視図であり、本図は、図４で示した形態の巻尺に、テープ１４の進退方向のケース１１の傾きを表示する傾斜計２２とテープ１４を照明するＬＥＤ２３を設けたものである。
【００４３】
図１２は、他の形態の巻尺を示す斜視図であり、本図は、図４で示した形態の巻尺に、ケース１１を任意の磁着可能な部材に磁着させるための磁石２４を設けたものである。磁石２４は、固定的にまたは着脱自在に設けてもよい。図示はしていないが、磁石２４をケースの底面に固定的にまたは着脱自在に設けてもよい。
【００４４】
図１３は、他の形態の巻尺を示す斜視図であり、本図は、図１０で示した形態の巻尺を基に、巻尺機構部を内装するケースとレーザー墨出し機構部を内装するケースが着脱自在になるようにした形態のものである。
【００４５】
図１４は、他の形態のレンズを備える振子体を内装する巻尺の概略内部構造を示す斜視図であり、振子体２に備える水平方向および垂直方向のレンズを振子体の振れ幅の範囲内でレーザー光を受光できる少なくとも投射側の面が断面凸弧状のレンズ体としたものである。１０ａが水平投射レンズ体で、１０ｂが垂直投射レンズ体である。巻尺の内部構造は図７の巻尺と同じである。
水平投射並レンズ体１０ａと垂直投射並レンズ体１０ｂを備える振子体２がケース１１の一側面側に揺動自在に配置されている。振子体２の揺動は、振子体２に有する軸受３が任意の軸等に支持されることによって行われる。また、軸と軸受３の嵌着状態を任意に遊嵌することによって振子体２は３６０度のどの方向にも揺動できる。５は振子体２の重心を下方部に位置させるための錘である。本図では軸受３に嵌る軸等は省略している。そして、振子体２の水平投射並レンズ体１０ａおよび垂直投射並レンズ体１０ｂには、レーザー発振器１７から発射されたレーザー光がハーフミラー８およびミラー７によって案内される。レーザー光は省略する。
【００４６】
図１５は、図１４の形態のレンズを備えた他の形態の振子体を内装する巻尺の概略内部構造を示す斜視図であり、巻尺の内部構造は図９の巻尺と同じである。
水平投射並レンズ体１０ａと垂直投射並レンズ体１０ｂを備える振子体２がケース１１の後面側に揺動自在に配置されている。振子体２の揺動は、振子体２に有する軸受３が任意の軸等に支持されることによって行われる。また、軸と軸受３の嵌着状態を任意に遊嵌することによって振子体は３６０度のどの方向にも揺動できる。２ｂはポイント照射するためのレーザー光が通過する通孔、５は振子体２の重心を下方部に位置させるための錘である。本図では軸受３に嵌る軸等は省略している。そして、振子体２の水平投射並レンズ体１０ａおよび垂直投射並レンズ体１０ｂには、レーザー発振器１７から発射されたレーザー光がハーフミラー８およびハーフミラー８ａおよびミラー７によって案内される。レーザー光は省略する。
【００４７】
図１６は、並レンズ体の一例を示す斜視図であり、１は並レンズ体で、少なくとも投射側の面が断面凸弧状のレンズを複数並列に並べた形態となっている。２は振子体で、並レンズ体１が設けられる一部分を示している。
【００４８】
図１７は、並レンズ体形成の一例を示す斜視図である。２は振子体で、並レンズ体１が設けられる一部分を示している。（ａ）図は、振子体２と並レンズ体１が別体として形成され、後に振子体２に並レンズ体１を固定する形成例である。図示はしていないが、振子体２の成型と同時にインサート成型によって別体として形成された並レンズ体１を振子体２に形成してもよい。（ｂ）は、振子体２と並レンズ体１をレンズに使用可能な同一素材によって成型した形成例である。素材は、樹脂あるいはガラス等でもよい。
【００４９】
図１８は、並レンズ体並設形態の一例を示す斜視図で、また、右図は、平面で見た図である。２は振子体で、並レンズ体１が設けられる一部分を示している。（ａ）図は、に断面円形の円柱状のレンズを任意の本数並設した形態の並レンズ体１である。（ｂ）図は、断面円形のその円周の一部を内方に円周と同じ曲率で切り欠き、その切り欠いた切り欠き部に並設する断面円形の円柱状のレンズを嵌合させて任意の本数並設した形態の並レンズ体１である。（ｃ）図は、断面円形のその円周の対向部の両側を直線的に切断し、その切断面を当接させて任意の本数並設した形態の並レンズ体１である。
【００５０】
図１９は、振子体の一例を示す斜視図である。本図の振子体は縦長形状としたものである。２は振子体、３は振子体２を支持するための軸（図示なし）の軸受、４は肉厚部、５は錘、その肉厚部４と錘５は、振子体２の下方に重心を位置させるためのものである。以下の水平投射並レンズ体１ａと垂直投射並レンズ体１ｂは並レンズ体１の芯方向を９０度変えて設けられているものである。（ａ）図は、レーザー光を水平に投射するための水平投射並レンズ体１ａとレーザー光を垂直に投射するための垂直投射並レンズ体１ｂを、別々の振子体２（第１の振子体／第２の振子体）にそれぞれ設けたものである。この形態は、水平レーザーラインと垂直レーザーラインの投射方向を任意に選定することが可能になる。（ｂ）図は、レーザー光を水平に投射するための水平投射並レンズ体１ａとレーザー光を垂直に投射するための垂直投射並レンズ体１ｂを1つの振子体２に設けたものである。この形態は、水平レーザーラインと垂直レーザーラインの投射方向が同一となる。
【００５１】
図２０は、レーザーライン投射機構の一例を示す斜視図であり、本図は、レーザー光を水平に投射するための水平投射並レンズ体１ａを設けた縦長形状の振子体２（第１の振子体）とレーザー光を垂直に投射するための垂直投射並レンズ体１ｂを設けた縦長形状の振子体２（第２の振子体）から構成し、且つそれぞれの振子体２が同期して水平回転可能に構成しているものである。ジャイロ機構部は図示していない。上方の楕円に表示するＡ／Ｂの記号は、水平投射並レンズ体１ａを設けた振子体２と垂直投射並レンズ体１ｂを設けた振子体２との回転と共に位置関係を示すものである。レーザー発振器（図示なし）から照射されたレーザー光６の照射方向線上に、垂直投射並レンズ体１ｂを備える振子体２が位置され、その垂直投射並レンズ体１ｂによってレーザー光６が拡散され垂直レーザーライン６ｂとして投射される。
【００５２】
（ａ）図は、垂直投射ラインの振子体を選択した時の斜視図である。（ｂ）図は、垂直投射並レンズ体１ｂを備える振子体２から、水平投射並レンズ体１ａを備える振子体２がレーザー光６の照射方向線上に位置されたもので、その水平投射並レンズ体１ａによってレーザー光６が拡散され水平レーザーライン６ａとして投射される。（ｃ）図は、レーザー光のポイント照射を選択した時の斜視図であり、水平投射並レンズ体１ａを設けた振子体２と垂直投射並レンズ体１ｂを設けた振子体２の位置を、レーザー発振器（図示なし）から照射されたレーザー光６の照射方向線上から外すことにより、レーザー光６はそのまま直進して投影部にポイント照射される。上方の楕円に表示するＣ記号は、水平投射並レンズ体１ａを設けた振子体２および垂直投射並レンズ体１ｂを設けた振子体２とレーザー光６との位置関係を示すものである。
【００５３】
図２１は、レーザーライン投射機構の一例を示す斜視図であり、本図は、レーザー光を水平に投射するための水平投射並レンズ体１ａを設けた縦長形状の振子体２（第１の振子体）とレーザー光を垂直に投射するための垂直投射並レンズ体１ｂを設けた縦長形状の振子体２（第２の振子体）を対向させて構成し、且つそれぞれの振子体２にレーザー発振器（図示なし）から照射されたレーザー光６を、回転自在のミラー７によってそれぞれの振子体に案内するように構成しているものである。ジャイロ機構部は図示していない。（ａ）図は、ミラー７を垂直投射の方向の位置にしているもので、レーザー発振器（図示なし）から照射されたレーザー光６はミラー７によって変向されて垂直投射並レンズ体１ｂを備える振子体２に案内され、その垂直投射並レンズ体１ｂによってレーザー光６が拡散され垂直レーザーライン６ｂとして投射される。（ｂ）図は、ミラー７を水平投射の方向の位置にしているもので、その水平投射並レンズ体１ａによってレーザー光６が拡散され水平レーザーライン６ａとして投射される。右図は、平面で見た時のレーザー光６の変向を示す図である。
【００５４】
図２２は、他の形態のレーザーライン投射機構の一例を示す斜視図であり、本図は、振子体２のレーザー光を水平に投射するための水平投射並レンズ体１ａを設けた部位とレーザー光を垂直に投射するための垂直投射並レンズ体１ｂを設けた部位をそれぞれ対向状態に配し、且つそれぞれの並レンズ体（水平投射並レンズ体１ａ／垂直投射並レンズ体１ｂ）にレーザー発振器（図示なし）から照射されたレーザー光６の一部を、回転自在のハーフミラー８によってそれぞれの並レンズ体に案内するように構成しているものである。ジャイロ機構部は図示していない。レーザー発振器（図示なし）から照射されたレーザー光６はハーフミラー８によって一部の光が変向されて振子体２の垂直投射並レンズ体１ｂの方向に案内され、その垂直投射並レンズ体１ｂによってレーザー光６が拡散され垂直レーザーライン６ｂとして投射される。また、ハーフミラー８のためにハーフミラー８を通過した残りのレーザー光６は投影部にポイント照射される。
【００５５】
図２３は、レーザーライン投射機構の一例を示す斜視図であり、本図は、レーザー光を水平に投射するための水平投射並レンズ体１ａとレーザー光を垂直に投射するための垂直投射並レンズ体１ｂを縦長形状の1つの振子体２に設けたものである。ジャイロ機構部は図示していない。レーザー発振器（図示なし）から照射されたレーザー光６は固定されたるハーフミラー８によって一部の光が変向されて振子体２の垂直投射並レンズ体１ｂの方向に案内され、その垂直投射並レンズ体１ｂによってレーザー光６が拡散され垂直レーザーライン６ｂとして投射される。また、ハーフミラー８のためにハーフミラー８を通過した残りのレーザー光６はミラー７によって変向されて振子体２の水平投射並レンズ体１ａの方向に案内され、その水平投射並レンズ体１ａによってレーザー光６が拡散され水平レーザーライン６ａとして投射される。ミラー７とハーフミラー８は固定されている。
【００５６】
図２４は、レーザーライン投射機構の一例を示す斜視図であり、本図は、レーザー光を水平に投射するための水平投射並レンズ体１ａとレーザー光を垂直に投射するための垂直投射並レンズ体１ｂと、さらには、適当な径の通孔２ｂを縦長形状の1つの振子体２に設けたものである。ジャイロ機構部は図示していない。（ａ）図は、シャッター９をレーザーラインを垂直および水平方向に投射する位置にしているもので、レーザー発振器（図示なし）から照射されたレーザー光６は、先ずハーフミラー８ａによって一部の光が変向されて振子体２の通孔２ｂ方向に案内されるが、本図ではその光はシャッター９によって遮られる。そして、ハーフミラー８ａを通過した残りのレーザー光６はハーフミラー８によってその一部の光が変向されて振子体２の垂直投射並レンズ体１ｂの方向に案内される。この時、光すなわちレーザー光６はシャッター９の通孔９ｂを通過して振子体２の垂直投射並レンズ体１ｂに向いこの垂直投射並レンズ体１ｂよってレーザー光６が拡散され垂直レーザーライン６ｂとして投射される。また、ハーフミラー８を通過した残りのレーザー光６はミラー７によって変向されて振子体２の水平投射並レンズ体１ａの方向に案内される。この時、光すなわちレーザー光６はシャッター９の通孔９ａを通過して振子体２の水平投射並レンズ体１ａに向いこの水平投射並レンズ体１ａよってレーザー光６が拡散され水平レーザーライン６ａとして投射される。ミラー７とハーフミラー８とハーフミラー８ａは固定されている。
【００５７】
（ｂ）図は、シャッター９を下方移動させてポイント照射の位置にしているもので、レーザー発振器（図示なし）から照射されたレーザー光６は、先ずハーフミラー８ａによって一部の光が変向されて振子体２の通孔２ｂ方向に案内される。この時、光すなわちレーザー光６はシャッター９の通孔９ｃを通過して振子体２の通孔２ｂに向いこの通孔２ｂを通過したレーザー光６は投影部にポイント照射される。また、ハーフミラー８ａを通過した残りのレーザー光６はハーフミラー８によってその一部の光が変向されて振子体２の垂直投射並レンズ体１ｂの方向に案内されるが、本図ではその光はシャッター９によって遮られる。さらに、ハーフミラー８を通過した残りのレーザー光６はミラー７によって変向されて振子体２の水平投射並レンズ体１ａの方向に案内されるが、本図ではその光はシャッター９によって遮られる。
シャッター９の通孔９ａ／９ｂ／９ｃの配設位置によっては、水平ライン／垂直ライン／ポイント照射の各々を単独でまたは組合せて投射可能である。
【００５８】
図２５は、振子体の一例を示す斜視図であり、振子体をリング形状としたものである。２は振子体、３は振子体２を支持するための軸（図示なし）の軸受、５は錘、その錘５は振子体２の下方に重心を位置させるためのものである。以下の水平投射並レンズ体１ａと垂直投射並レンズ体１ｂは並レンズ体１の芯方向を９０度変えて設けられているものである。（ａ）図は、レーザー光を水平に投射するための水平投射並レンズ体１ａとレーザー光を垂直に投射するための垂直投射並レンズ体１ｂを、別々の振子体２（第１の振子体／第２の振子体）にそれぞれ設けたものである。この形態は、水平レーザーラインと垂直レーザーラインの投射方向を任意に選定することが可能になる。（ｂ）図は、レーザー光を水平に投射するための水平投射並レンズ体１ａとレーザー光を垂直に投射するための垂直投射並レンズ体１ｂを1つの振子体２に設けたものである。この形態は、水平レーザーラインと垂直レーザーラインの投射方向が同一となる。
【００５９】
図２６は、レーザーライン投射機構の一例を示す斜視図であり、本図は、レーザー光を水平に投射するための水平投射並レンズ体１ａを設けた振子体２（第１の振子体）とレーザー光を垂直に投射するための垂直投射並レンズ体１ｂを設けたリング形状の振子体２（第２の振子体）を対向させて構成し、且つそれぞれの振子体２にレーザー発振器（図示なし）から照射されたレーザー光６を、固定されたミラー７とハーフミラー８によってそれぞれの振子体に案内するように構成しているものである。ジャイロ機構部は図示していない。レーザー発振器（図示なし）から照射されたレーザー光６は固定されたるハーフミラー８によって一部の光が変向されて振子体２の水平投射並レンズ体１ａの方向に案内され、その水平投射並レンズ体１ａによってレーザー光６が拡散され水平レーザーライン６ａとして投射される。また、ハーフミラー８のためにハーフミラー８を通過した残りのレーザー光６はミラー７によって変向されて振子体２の垂直投射並レンズ体１ｂの方向に案内され、その垂直投射並レンズ体１ｂによってレーザー光６が拡散され垂直レーザーライン６ｂとして投射される。
【００６０】
図２７は、レーザーライン投射機構の一例を示す斜視図であり、本図は、レーザー光を水平に投射するための水平投射並レンズ体１ａとレーザー光を垂直に投射するための垂直投射並レンズ体１ｂを1つのリング形状の振子体２に設けたものである。ジャイロ機構部は図示していない。レーザー発振器（図示なし）から照射されたレーザー光６は固定されたるハーフミラー８によって一部の光が変向されて振子体２の垂直投射並レンズ体１ｂの方向に案内され、その垂直投射並レンズ体１ｂによってレーザー光６が拡散され垂直レーザーライン６ｂとして投射される。また、ハーフミラー８のためにハーフミラー８を通過した残りのレーザー光６はミラー７によって変向されて振子体２の水平投射並レンズ体１ａの方向に案内され、その水平投射並レンズ体１ａによってレーザー光６が拡散され水平レーザーライン６ａとして投射される。
【００６１】
図２８は、他の形態のレーザーライン投射機構の一例を示す斜視図であり、本図は、振子体２のレーザー光を水平に投射するための水平投射並レンズ体１ａを設けた部位とレーザー光を垂直に投射するための垂直投射並レンズ体１ｂを設けた部位をそれぞれ対向状態に配し、且つそれぞれの並レンズ体（水平投射並レンズ体１ａ／垂直投射並レンズ体１ｂ）にレーザー発振器（図示なし）から照射されたレーザー光６を、回転自在のミラー７によってそれぞれの並レンズ体に案内するように構成しているものである。ジャイロ機構部は図示していない。レーザー発振器（図示なし）から照射されたレーザー光６はミラー７によって変向されて振子体２の垂直投射並レンズ体１ｂの方向に案内され、その垂直投射並レンズ体１ｂによってレーザー光６が拡散され垂直レーザーライン６ｂとして投射される。また、ミラー７の向きを水平投射並レンズ体１ａ方向に変向することによってレーザー光６は水平投射並レンズ体１ａの方向に案内され、その水平投射並レンズ体１ａによってレーザー光６が拡散され水平レーザーライン６ａ（図示なし）として投射される。
【００６２】
図２９は、レンズ体の一例を示す斜視図であり、１０はレンズ体で、少なくとも投射側の面が断面凸弧状のレンズ体１０を設けた形態となっている。２は振子体で、レンズ体１０が設けられる一部分を示している。（ａ）図は、断面円形のレンズ体１０である。（ｂ）図は、断面半円形のレンズ体１０である。（ｃ）図は、断面円形の円周の一部が切り欠かれた形状のレンズ体１０である。また、（ａ）図から（ｃ）図において、（ア）は、レンズ体１０を１つ設けているものを示し、（イ）は、レンズ体１０を複数設けたものを示している。図中の矢印はレーザー光の投射方向である。
【００６３】
図３０は、振子体の一例を示す斜視図であり、本図の振子体は縦長形状としたものである。２は振子体、３は振子体２を支持するための軸（図示なし）の軸受、４は肉厚部、５は錘、その肉厚部４と錘５は、振子体２の下方に重心を位置させるためのものである。以下の水平投射レンズ体１０ａと垂直投射レンズ体１０ｂはレンズ体１０の芯方向を９０度変えて設けられているものである。（ａ）図は、レーザー光を水平に投射するための水平投射レンズ体１０ａとレーザー光を垂直に投射するための垂直投射レンズ体１０ｂを、別々の振子体２（第１の振子体／第２の振子体）にそれぞれ設けたものである。この形態は、水平レーザーラインと垂直レーザーラインの投射方向を任意に選定することが可能になる。（ｂ）図は、レーザー光を水平に投射するための水平投射レンズ体１０ａとレーザー光を垂直に投射するための垂直投射レンズ体１０ｂを1つの振子体２に設けたものである。この形態は、水平レーザーラインと垂直レーザーラインの投射方向が同一となる。
【００６４】
図３１は、振子体の一例を示す斜視図であり、本図の振子体はリング形状としたものである。２は振子体、３は振子体２を支持するための軸（図示なし）の軸受、５は錘、その錘５は振子体２の下方に重心を位置させるためのものである。以下の水平投射レンズ体１０ａと垂直投射レンズ体１０ｂはレンズ体１０の芯方向を９０度変えて設けられているものである。（ａ）図は、レーザー光を水平に投射するための水平投射レンズ体１０ａとレーザー光を垂直に投射するための垂直投射レンズ体１０ｂを、別々の振子体２（第１の振子体／第２の振子体）にそれぞれ設けたものである。この形態は、水平レーザーラインと垂直レーザーラインの投射方向を任意に選定することが可能になる。（ｂ）図は、レーザー光を水平に投射するための水平投射レンズ体１０ａとレーザー光を垂直に投射するための垂直投射レンズ体１０ｂを1つの振子体２に設けたものである。この形態は、水平レーザーラインと垂直レーザーラインの投射方向が同一となる。
【００６５】
図３２は、振子体の一例を示す斜視図である。本図の振子体は縦長形状としたもので、さらに、水平投射並レンズ体１ａ／水平投射レンズ体１０ａ／垂直投射並レンズ体１ｂ／垂直投射レンズ体１０ｂを用いて振子体２を構成したものである。また、図（ａ）／図（ｂ）の軸受３は、任意のシャフト状の軸が通過する通孔となっているものであるが、図（ｃ）の軸受３ａは、任意の軸３ｂの先端を本体略すり鉢状の中央部に当接させて振子体２を挟持する形態のものである。右図は、軸受３ａ部分の拡大断面図である。
【００６６】
図３３は、振子体の一例を示す斜視図である。本図の振子体はリング形状としたもので、さらに、水平投射並レンズ体１ａ／水平投射レンズ体１０ａ／垂直投射並レンズ体１ｂ／垂直投射レンズ体１０ｂを用いて振子体２を構成したものである。また、図（ａ）／図（ｂ）の軸受３は、任意のシャフト状の軸が通過する通孔となっているものであるが、図（ｃ）の軸受３ａは、任意の軸３ｂの先端を本体略すり鉢状の中央部に当接させて振子体２を挟持する形態のものである。右図は、軸受３ａ部分の拡大断面図である。
【図面の簡単な説明】
【００６７】
【図１】本発明に係る巻尺の概略内部構造を示す斜視図
【図２】シッターを示す斜視図
【図３】レーザー光の照射状態を示す斜視図
【図４】図１のレーザー投射機構を内装する巻尺の一例を示す斜視図
【図５】他の形態の振子体を内装する巻尺の概略内部構造を示す斜視図
【図６】図５のレーザー投射機構を内装する巻尺の一例を示す斜視図
【図７】他の形態の振子体を内装する巻尺の概略内部構造を示す斜視図
【図８】図７のレーザー投射機構を内装する巻尺の一例を示す斜視図
【図９】他の形態の振子体を内装する巻尺の概略内部構造を示す斜視図
【図１０】図９のレーザー投射機構を内装する巻尺の一例を示す斜視図
【図１１】他の形態の巻尺を示す斜視図
【図１２】他の形態の巻尺を示す斜視図
【図１３】他の形態の巻尺を示す斜視図
【図１４】他の形態のレンズを備える振子体を内装する巻尺の概略内部構造を            示す斜視図
【図１５】図１４の形態のレンズを備えた他の形態の振子体を内装する巻尺の            概略内部構造を示す斜視図
【図１６】並レンズ体の一例を示す斜視図
【図１７】並レンズ体形成の一例を示す斜視図
【図１８】並レンズ体並設形態の一例を示す斜視図
【図１９】振子体の一例を示す斜視図
【図２０】レーザーライン投射機構の一例を示す斜視図
【図２１】レーザーライン投射機構の一例を示す斜視図
【図２２】他の形態のレーザーライン投射機構の一例を示す斜視図
【図２３】レーザーライン投射機構の一例を示す斜視図
【図２４】レーザーライン投射機構の一例を示す斜視図
【図２５】振子体の一例を示す斜視図
【図２６】レーザーライン投射機構の一例を示す斜視図
【図２７】レーザーライン投射機構の一例を示す斜視図
【図２８】他の形態のレーザーライン投射機構の一例を示す斜視図
【図２９】レンズ体の一例を示す斜視図
【図３０】振子体の一例を示す斜視図
【図３１】振子体の一例を示す斜視図
【図３２】振子体の一例を示す斜視図
【図３３】振子体の一例を示す斜視図
【符号の説明】
【００６８】
１−並レンズ体，１ａ−水平投射並レンズ体，１ｂ−垂直投射並レンズ体，２−振子体，２ａ−設置部，２ｂ−通孔，３−軸受，３ａ−軸受，３ｂ−軸，４−肉厚部，５−錘，６−レーザー光，６ａ−水平レーザーライン，６ｂ−垂直レーザーライン，７−ミラー，８−ハーフミラー，８ａ−ハーフミラー，９−シャッター，９ａ−通孔，９ｂ−通孔，９ｃ−通孔，９ｄ−遮蔽部，９ｅ−遮蔽部，１０−レンズ体，１０ａ−水平投射レンズ体，１０ｂ−垂直投射レンズ体，１１−ケース，１１ａ−テープ出入口，１２−回転ドラム，１２ａ−コイルバネ，１３−軸，１４−テープ，１４ａ−係止片，１５−スイッチ，１６−電池，１７−レーザー発振器，１８−投射窓，１８ａ／１８ｂ／１８ｃ−投射窓，１９−シャッター操作レバー，２０−回転ダイヤル，２１−水準器，２２−傾斜計，２３−ＬＥＤ，２４−磁石，２５−ブレーキレバー，２６−墨出しアダプター
【図１】
2006133066.tif 000003
【図２】
2006133066.tif 000004
【図３】
2006133066.tif 000005
【図４】
2006133066.tif 000006
【図５】
2006133066.tif 000007
【図６】
2006133066.tif 000008
【図７】
2006133066.tif 000009
【図８】
2006133066.tif 000010
【図９】
2006133066.tif 000011
【図１０】
2006133066.tif 000012
【図１１】
2006133066.tif 000013
【図１２】
2006133066.tif 000014
【図１３】
2006133066.tif 000015
【図１４】
2006133066.tif 000016
【図１５】
2006133066.tif 000017
【図１６】
2006133066.tif 000018
【図１７】
2006133066.tif 000019
【図１８】
2006133066.tif 000020
【図１９】
2006133066.tif 000021
【図２０】
2006133066.tif 000022
【図２１】
2006133066.tif 000023
【図２２】
2006133066.tif 000024
【図２３】
2006133066.tif 000025
【図２４】
2006133066.tif 000026
【図２５】
2006133066.tif 000027
【図２６】
2006133066.tif 000028
【図２７】
2006133066.tif 000029
【図２８】
2006133066.tif 000030
【図２９】
2006133066.tif 000031
【図３０】
2006133066.tif 000032
【図３１】
2006133066.tif 000033
【図３２】
2006133066.tif 000034
【図３３】
2006133066.tif 000035